(57)【特許請求の範囲】
【請求項１】
光源と、
前記光源を覆う保護カバーと、
前記光源及び前記保護カバーとを覆う拡散面を有する透光性カバーとを設けた照明装置であって、
前記保護カバーは、前記光源の１／２ビーム角の出射光が透過する部分が、推動シェルの形状を有する一方、前記光源の１／２ビーム角の出射光が透過する部分を除いた部分に前記推動シェルの形状を有しない部分を有し、前記推動シェルの形状を有する部分の断面の屈折率の相違により前記保護カバーを透過した前記光源からの出射光の分布に不均一が生じて前記光源からの出射光が前記透光性カバーを透過する際に生じる低照度部分が、発生しないように形成されていることを特徴とする照明装置。
【請求項２】
請求項１に記載された照明装置であって、前記保護カバーは、前記保護カバーを透過した前記光源からの出射光に低照度部分が生じて前記透光性カバーに前記低照度による稜線状の影が生じないように形成されていることを特徴とする照明装置。
【請求項３】
請求項１又は請求項２のいずれかに記載された照明装置であって、前記保護カバーは、前記推動シェルの形状を有する部分が、階段状に変化することのない連続する曲面から成り、均一の屈折率を有することを特徴とする照明装置。
【請求項４】
請求項１乃至請求項３のいずれかに記載された照明装置であって、前記保護カバーは、前記保護カバーの前記推動シェルの形状を有する部分を除いて、光拡散面が形成されていることを特徴とする照明装置。
【請求項５】
請求項１乃至請求項４のいずれかに記載された照明装置であって、前記保護カバーの厚みが一定であることを特徴とする照明装置。
【請求項６】
請求項１乃至請求項５のいずれかに記載された照明装置であって、前記保護カバーは、透明であることを特徴とする照明装置。
【請求項７】
請求項１乃至請求項６のいずれかに記載された照明装置であって、前記照明装置は、天井等の被取付部に取り付けられるランプ本体と、前記ランプ本体を覆う透光性カバーとを備え、
前記ランプ本体は、
ベース部材と、
前記ベース部材に配設される点灯基板と、
前記点灯基板に電気的に接続される光源基板と、
前記光源基板に実装される光源と、
前記光源を覆う保護カバーとを有し、
前記ランプ本体は、前記ベース部材を前記被取付部に取り付ける取付部により前記被取付部に取り付けられることを特徴とする照明装置。
【請求項８】
請求項７に記載された照明装置であって、前記光源基板は、複数の前記保護カバーにより覆われていることを特徴とする照明装置。
【請求項９】
請求項７又は請求項８のいずれかに記載された照明装置であって、前記光源基板は、前記ベース部材の周縁部から中心部に向かって前面側に傾斜して配置されていることを特徴とする照明装置。
【請求項１０】
請求項７乃至請求項９のいずれかに記載された照明装置であって、前記光源基板を支持する基板固定台を更に有し、前記基板固定台は、前記ベース部材の周縁部から中心部に向かって前面側に傾斜していることを特徴とする照明装置。
【請求項１１】
請求項１乃至請求項１０のいずれかに記載された照明装置であって、前記光源がＬＥＤ素子であることを特徴とする照明装置。
【発明の詳細な説明】
【技術分野】
【０００１】
本発明は、光源と、拡散面を有する透光性カバーと、光源と透光性カバーの間に光源の保護カバーを有する照明装置の改良に関し、特に、最外層の透光性カバーに影状の暗い部分が生ずるのを防止することに関するものである。
【背景技術】
【０００２】
近年、環境意識の高まりから、省電力化に優れたＬＥＤ素子を光源に使用した、電源内蔵型の電球型ＬＥＤランプが普及してきた。特に、最近は、天井直付け型のシーリングライトや、天井から吊り下げられて室内を照らす吊下げ型照明機器においても、ＬＥＤ素子を使用した照明装置が開発され、市場に導入されてきている。
【０００３】
この天井直付けシーリングライトは、例えば、天井面に取り付けられた引掛シーリングボディに、引掛シーリングアダプタを取り付けた照明装置を装着したものであり、特に最近は厚みの薄いシーリングライトが検討されている（例えば、特許文献１等参照）。
【０００４】
この特許文献１に記載されている照明器具は、本体と、取付部の外周側に配設される点灯装置と、点灯装置の外側に点灯装置と重なり合わないように本体に配設された基板と、基板の表面に実装された複数の発光素子と、基板の実装面に接触する平坦部を有し、基板前面側から複数の基板を連続して一体的に覆うように本体に取付けられるサークル状の拡散部材を備えている。それによって、照射光の均斉度の向上を図ることが可能な照明装置を提供するものである。
【０００５】
しかしながら、この特許文献１に記載されている照明装置においては、基板が点灯装置と重なり合わないように本体に配設されているため、周方向（幅方向）に大きな寸法を要し、結果として省スペース化が困難である問題を伴っていた。また、ＬＥＤ素子が基板の実装面に接触する平坦部を有するサークル状の拡散部材とカバー部材によって二重に覆われており、この基板を覆う拡散部材の断面の屈折率の相違により、その相違部分において稜線状等の低照度部分が生じ、これが最外層のカバー部材において、影状の暗い部分となって現れてしまい見栄えが低下すると共に、光取り出し効率を悪化させている問題が生じていた。
【０００６】
また、天井直付けシーリングライトにおいて、ＬＥＤ発光基板をモジュール化して構成された照明機器により、修理が必要時にＬＥＤ発光モジュール毎に簡単に交換し、廃棄物量を低減させることも検討されている（例えば、特許文献２等参照）。
【０００７】
この特許文献２に記載されているＬＥＤ灯具は、ＬＥＤ発光モジュールの基板の上方に、所定の色を有する透過材質からなる外蓋が嵌設され、外蓋で基板を底板に固定して、光混合の作用が実現される照明器具を提供するものである。
【０００８】
しかし、この特許文献２に記載されている照明器具においては、所定の色を有する透過材質からなる外蓋が嵌設されているため、影状の暗い稜線部分が生じると共に光取り出し効率が悪化する問題があった。
【先行技術文献】
【特許文献】
【０００９】
【特許文献１】特許第５１２６６３７号公報
【特許文献２】実用新案登録第３１５４７６１号公報
【発明の概要】
【発明が解決しようとする課題】
【００１０】
本発明が解決しようとする課題は、上記の問題点に鑑み、光取り出し効率を低下させることなく広く均一な照射を確保して、影状の暗い部分が生じるのを防止して良好な外観を確保することができると共に、省スペース化を実現しつつ天井面の引掛シーリングボディに簡単に取り付けることができる照明装置を提供することにある。
【課題を解決するための手段】
【００１１】
本発明は、上記の課題を解決するための第１の手段として、光源と、この光源を覆う保護カバーと、これらの光源及び保護カバーとを覆う拡散面を有する透光性カバーとを設けた照明装置であって、保護カバーは、光源の１／２ビーム角の出射光が透過する部分が、推動シェルの形状を有する一方、光源の１／２ビーム角の出射光が透過する部分を除いた部分に推動シェルの形状を有しない部分を有し、推動シェルの形状を有する部分の屈折率の相違により保護カバーを透過した光源からの出射光の分布に不均一が生じて光源からの出射光が透光性カバーを透過する際に生じる低照度部分が、発生しないように形成されていることを特徴とする照明装置を提供するものである。
【００１２】
本発明は、上記の課題を解決するための第２の手段として、上記第１の解決手段において、保護カバーは、この保護カバーを透過した光源からの出射光に低照度部分が生じて透光性カバーに低照度による稜線状の影が生じないように形成されていることを特徴とする照明装置を提供するものである。
【００１３】
本発明は、上記の課題を解決するための第３の手段として、上記第１又は第２のいずれかの解決手段において、保護カバーは、推動シェルの形状を有する部分が、階段状に変化することのない連続する曲面から成り、均一の屈折率を有することを特徴とする照明装置を提供するものである。
【００１４】
本発明は、上記の課題を解決するための第４の手段として、上記第１乃至第３のいずれかの解決手段において、保護カバーは、保護カバーの推動シェルの形状を有する部分を除いて、光拡散面が形成されていることを特徴とする照明装置を提供するものである。
【００１５】
本発明は、上記の課題を解決するための第５の手段として、上記第１乃至第４のいずれかの解決手段において、保護カバーの厚みが一定であることを特徴とする照明装置を提供するものである。
【００１６】
本発明は、上記の課題を解決するための第６の手段として、上記第１乃至第５のいずれかの解決手段において、保護カバーは、透明であることを特徴とする照明装置を提供するものである。
【００１７】
本発明は、上記の課題を解決するための第７の手段として、上記第１乃至第６のいずれかの解決手段において、照明装置は、天井等の被取付部に取り付けられるランプ本体と、ランプ本体を覆う透光性カバーとを備え、ランプ本体は、ベース部材と、このベース部材に配設される点灯基板と、この点灯基板に電気的に接続される光源基板と、この光源基板に実装される光源と、この光源を覆う保護カバーとを有し、ランプ本体は、ベース部材を被取付部に取り付ける取付部により被取付部に取り付けられることを特徴とする照明装置を提供するものである。
【００１８】
本発明は、上記の課題を解決するための第８の手段として、上記第７の解決手段において、光源基板は、複数の保護カバーにより覆われていることを特徴とする照明装置を提供するものである。
【００１９】
本発明は、上記の課題を解決するための第９の手段として、上記第７又は第８のいずれかの解決手段において、光源基板は、ベース部材の周縁部から中心部に向かって前面側に傾斜して配置されていることを特徴とする照明装置を提供するものである。
【００２０】
本発明は、上記の課題を解決するための第１０の手段として、上記第７乃至第９のいずれかの解決手段において、光源基板を支持する基板固定台を更に有し、この基板固定台は、ベース部材の周縁部から中心部に向かって前面側に傾斜していることを特徴とする照明装置を提供するものである。
【００２１】
本発明は、上記の課題を解決するための第１１の手段として、上記第１乃至第１０のいずれかの解決手段において、光源がＬＥＤ素子であることを特徴とする照明装置を提供するものである。
【発明の効果】
【００２２】
本発明によれば、上記のように、保護カバーは、光源の１／２ビーム角の出射光が透過する部分が、推動シェルの形状を有する一方、光源の１／２ビーム角の出射光が透過する部分を除いた部分に推動シェルの形状を有しない部分を有し、推動シェルの形状を有する部分の断面の屈折率の相違により保護カバーを透過した光源からの出射光の分布に不均一が生じて、光源からの出射光が透光性カバーを透過する際に低照度部分が発生しないように形成されているため、光源の１／２ビーム角の出射光は推動シェルの形状を有する部分を透過する一方、光源の１／２ビーム角の出射光を除いた出射光は、推動シェルの形状を有しない部分を透過して透光性カバーに照射されることはないので、透光性カバーに影状の暗い部分が生じることがなく、充分な光取り出し効率を確保することができると同時に、点灯時に均一な照射が確保され良好な外観を確保することができる実益がある。
【００２３】
また、本発明によれば、上記のように、保護カバーは、光源の１／２ビーム角の出射光が透過する部分が、推動シェルの形状を有するため、滑らかな曲線となって、保護カバーに屈折率の不均一が生じるのを防止することができ、保護カバーを透過した光源からの出射光の分布が均一となり、光源からの出射光が透光性カバーを透過する際に低照度部分を発生させない実益がある。
【００２４】
更に、本発明によれば、上記のように、光源基板が、ベース部材の外周部から中心部に向かって前面側に傾斜して配置されているため、二次元的には光源の充分な取付面積を確保しつつ、前面側から見た場合の投影面積を小さくすることができるため、充分な光量を確保しつつ、省スペース化を図ることができる実益がある。
【００２５】
加えて、本発明によれば、上記のように、光源基板が、ベース部材の外周部から中心部に向かって前面側に傾斜して配置されているため、前面（天井に取り付けた場合の床面）側の同一方向にのみ照射する場合と比べて、床面に対して複数の角度をもって照射することができるため、小型でありながらも影なく、広く均一に照射することができる実益がある。
【００２６】
また、本発明によれば、上記のように、取付部から延びる取付延出部を有しているため、ランプ本体を被取付面に取り付ける際に、この取付延出部を把持しながら取付作業をすることができるため、天井面の引掛シーリングボディに簡単に取り付けることができると同時に、透光性カバーのランプ本体への取付も容易となり、良好な施工性を確保することができ実益がある。
【図面の簡単な説明】
【００２７】
【図１】本発明の照明装置の被照射面側から見た取り付け前外観斜視図である。
【図２】本発明の照明装置の垂直断面図である。
【図３】本発明の照明装置の分解斜視図である。
【図４】本発明の照明装置の基板固定台の斜視図である。
【図５】本発明の照明装置の透光性カバーを外した状態の上面図である。
【図６】本発明の照明装置の断面図の一部拡大図である。
【図７】本発明の照明装置の保護カバーの一部破断上面図と断面図である。
【発明を実施するための形態】
【００２８】
以下に本発明の好適な実施の形態について、図面を参照しながら詳細に説明する。なお、本実施形態は、光源としてＬＥＤ素子を用い天井面に取り付ける一例として説明するが、これに限定されるものではない。
【００２９】
図１乃至図３は、本発明の照明装置１００の実施の形態の一つを示し、この本実施形態に係わる照明装置１００は、図１乃至図３に示すように、天井面４等に設けられた被取付部に取り付けられるランプ本体１と、このランプ本体１を覆う透光性カバー３とを備えている。
【００３０】
この照明装置１００は、特に図２に示すように、天井面４にあらかじめ設置されているロゼット６に、外部電源線と接続するための引掛シーリングボディ５を装着して被取付部を構成し、この引掛シーリングボディ５にランプ本体１を着脱自在に装着することにより、天井面４に設置される。この天井面４に照明装置１００が装着されるときに、引掛シーリングボディ５と透光性カバー３を取り付けたランプ本体１の取付部１１とが接続され、照明装置１００はシーリングライトとして使用可能となる。なお、被取付部としてのロゼット６が天井面４に設けられていれば、天井面４に、新たに特別な補強を施すことなく、施工性良く照明装置１００を取付けることができる。
【００３１】
（１．ランプ本体）
ランプ本体１は、図２及び図３に示すように、ベース部材１０と、このベース部材１０に配設される点灯基板１３と、この点灯基板１３に電気的に接続される光源基板１５と、この光源基板１５に実装される光源１６と、この光源１６を覆う保護カバー２３とを有し、ランプ本体１は、ベース部材１０を被取付部に取り付ける取付部１１により被取付部に取り付けられる。
【００３２】
（１．−１  ベース部材）
ベース部材１０は、冷間圧延鋼板（ＳＰＣＣ）等の金属材料を使用して、打抜加工、プレス加工、折曲加工等によって作成されて、表面が塗装される。このベース部材１０は、図２及び図３に示すように、円盤形状に形成される。なお、このベース部材１０の周縁部１０ａは、図２及び図３に示すように、ベース部材１０の中心部より前面側（天井面４に取り付けた場合の床面側）に位置するように環状に加工されている。
【００３３】
（１．−２  取付部）
この円盤状に形成されたベース部材１０は、その中心部に円形の開口が形成され、この開口内に、引っ掛けシーリングボディ５に押込みにより係止することができる取付部１１が形成されている。
【００３４】
（１．−３  取付延出部）
また、ランプ本体１には、図２及び図３に示すように、この取付部１１の開口の縁部から延びるようにして円筒状に形成された取付延出部１２が前面側に形成されている。ランプ本体１を被取付面に取り付ける際に、この取付延出部１２を把持することにより、作業性が高まる。
【００３５】
（１．−４  点灯基板）
また、ベース部材１０の中心部には、図２及び図３に示すように、取付延出部１２を取巻くように点灯基板１３が配設されている。この点灯基板１３の電子部品が搭載されていない裏面を、ベース部材１０に配設することにより、点灯基板１３から発生する熱をベース部材１０を通じて放熱することが可能となる。
【００３６】
また、この点灯基板１３を構成する電子部品としては、過電流保護、ノイズカット、整流、平滑、調光制御などを行うための各種ダイオード、コンデンサ、ＩＣ、抵抗などの公知の電子部品を使用することができる。
【００３７】
（１．−５  基板固定台）
本発明の照明装置１００は、図２乃至図４に示すように、光源基板１５を支持する基板固定台１４を更に有している。この基板固定台１４は、図２乃至図４に示すように、ベース部材１０の周縁部１０ａから中心部に向かって前面側（ランプ本体１を天井面４に取り付けた場合の床面側）に向けて傾斜して形成されている。
【００３８】
図示の実施の形態では、複数の基板固定台１４がベース部材１０の周縁部１０ａから中心部に向かって前面側に傾斜するようにしてベース部材１０に配設され、図３及び図５に示すように、全体として、環状となるように配列されている。
【００３９】
これらの基板固定台１４は、特に図４に示すように、平面的に見た場合に、ベース部材１０の中心部に近づくに連れ、幅が狭くなる略台形状に形成され、その略台形状の上底と下底に傾斜を付けるために裏側に凸部が設けられている。下底の端部である２箇所と、下底中央部から上底方向に設けられた凸部先端の１箇所の、合計の３箇所でベース部材１０に固定されている。３箇所で固定することにより片側支持を避けることが出来、振動等に対する固定強度を向上させることが出来る。
【００４０】
また、この基板固定台１４は、取付けられる光源基板１５の熱をベース部材１０側に伝えないように、断熱性を有する樹脂材料を使用して、射出加工等によって作成される。基板固定台１４は、強度を妨げない程度に、中心部に貫通穴を設けて、軽量化、熱対流による光源基板１５の放熱を促進している。なお、図示の実施の形態では、図３に示すように、複数の基板固定台１４を組み合わせて、環状の構造としたが、光源基板１５が取付けられる構造であれば、一体の基板固定台１４として組み立て工数の削減を図ることもできる。
【００４１】
（１．−６  光源基板）
光源基板１５は、図２及び図３、図５、図６に示すように、この基板固定台１４上に取り付けられてベース部材１０上に固定される。また、この光源基板１５は、図３及び図５、図７に示すように、基板固定台１５に対応した略台形状の形状に形成され、複数の基板固定台１４上に設置されることにより、基板固定台１４と同様に環状に配置される。
【００４２】
この光源基板１５には、図３及び図５に示すように、光源（ＬＥＤ素子）１６が、ベース部材１０の垂直方向の中心軸を中心とした複数の円周上に配置され、一つの円周上の光源１６が他の円周上の光源１６と、ベース部材１０の中心軸からの放射方向における位置をずらして千鳥状の関係を構成するように配置されている。それにより、光源基板１５は、透光性カバー３が均一な明るさになる光源基板１５を構成し、基板固定台１４に固定されている。
【００４３】
また、この光源基板１５は、円環形状の平板で、両面に銅箔が貼られたガラスエポキシ基板から成り、片面側に光源１６と電子部品とが実装されている。光源１６の搭載面側に、高反射シートを貼合することや、高反射用樹脂を塗布することにより、光取り出し効率を改善することができる。
【００４４】
さらに、基板固定台１４に取り付けられた光源基板１５は、図６に示すように、ベース部材１０の周縁部１０ａよりベース部材１０の中心部側において、部分的に点灯基板１３と直交する方向において位置するようにベース部材に配設されている。即ち、ランプ本体１の高さ方向（図６に示す垂直方向）において、光源基板１５の一部が、点灯装置１３と重畳して、ランプ本体１を天井面４に取り付けた状態において点灯装置１３の下方に位置している。これにより、基板固定台１４により充分な放熱効果を確保しつつ、省スペース化を図ることができる。即ち、光源基板１５の全体を点灯装置１３の外側に配置させなくても、放熱することができるため、省スペース化を図ることができる。
【００４５】
なお、この場合、この光源基板１５には、図５に示すように、点灯基板１３に搭載されている高背の電子部品、例えばコンデンサ１９、トランス等を避けるように、切り欠き１８が形成されている。これにより、ベース部材１０の周縁部１０ａから中心部に向かって前面側に傾斜するように配設されている光源基板１５の傾斜角を小さくすることが出来、コンパクト化することで省スペース化が実現できる。
【００４６】
また、光源基板１５に切り欠き１８を設けることで、照明装置１００における光源基板１５の面積を大きくでき、光源基板１５による光源出射光の反射面積を増やすことができる。これにより、光源出射光の反射効率が上がって、照明装置１００の効率が上がる。
【００４７】
図示の実施の形態では、図５に示すように、全ての光源基板１５に同様な切り欠き１８を形成している。事前に点灯基板１３の電子部品の配置を光源基板１５の切り欠き１８に合わせて検討することにより、光源基板１５の切り欠き位置を統一した光源基板１５とすることができ、基板の種類を減少させてコストの削減に貢献することができる。
【００４８】
この光源基板１５は、図５に示すように、ケーブルを介して点灯基板１３に電気的に接続され、このケーブルは、光源基板１５に配設されたケーブル用接続端子２１に接続される。このケーブル用接続端子２１は、図５に示すように、複数の光源基板１５のうち、任意の光源基板１５に配設されて、ケーブルに接続される。この場合、さらに、図５に示すように、このケーブル用接続端子２１が配設された光源基板１５から、他の複数の光源基板１５同士を接続線１７で接続することにより、電気的に接続された環状の光源基板１５を構成している。
【００４９】
この場合、点灯基板１３と光源基板１５を接続するケーブルは、図５に示すように、取付部１１の外縁部である取付延出部１２に形成されたケーブル固定部材２０を介して配線される。ケーブル固定部材２０を用いることにより、ケーブルの長さ調整が行いやすく、断線防止が可能となり、組み立て工数の削減や信頼性向上が可能となる。
【００５０】
なお、図示の実施の形態では、基板固定台１４に光源基板１５を固定して傾斜させる構成としているが、必ずしも、これに限定されるものではなく、光源基板１５自体に光源基板１５をベース部材１０の周縁部１０ａから中心部に向かって前面側に傾斜するような補助部材を加えて、光源基板１５を直接ベース部材１０に固定するような構造とすることもできる。
【００５１】
（１．−７  光源）
なお、この光源基板１５に実装される光源１６としては、公知の種々のＬＥＤ素子、ＥＬ素子等を用いることができる。図示の実施の形態では、照明用の白色光を発光する高輝度タイプのＬＥＤ素子が用いられている。
【００５２】
（１．−８  ランプ本体の組付）
上述したランプ本体１を構成するベース部材１０、点灯基板１３、基板固定台１４、光源基板１５の相互の位置関係について図６を参照しながら説明する。まず、図６に示すように、ベース部材１０の周縁部１０ａと取付延出部１２の間に、点灯基板１３と、基板固定台１４、光源基板１５が配設されている。基板固定台１４は、ベース部材１０の周縁部１０ａから中心部に向かって前面側に傾斜するように配設されている。この場合、基板固定台１４を、ベース部材１０の周縁部１０ａより内周側に配設することにより、透光性カバー３と光源基板１５の端部との距離を長く設定することが可能となる。これにより、特に透光性カバー３に光拡散面が形成されている場合は、光源１６の出射光位置が判断できない程度に、広い範囲を均一に照らすことが可能となる。
【００５３】
また、光源基板１５も、図６に示すように、基板固定台１４に固定されて、ベース部材１０の周縁部１０ａから中心部に向かって前面側に傾斜するように配設されている。また、この光源基板１５の一部は、図６に示すように、ランプ本体１の高さ方向（図６に示す垂直方向）において、点灯装置１３と重畳して、ランプ本体１を天井面４に取り付けた状態において点灯装置１３の下方に位置している。この位置関係により、照明装置１００全体の全幅（直径）を小さくして省スペース化を実現しつつ、光源１６からの発光を広く均一に照らすことができる。
【００５４】
なお、図３及び図５に示すように、ランプ本体１に対して、基板固定台１４、光源基板１５、保護カバー２３は、各々複数で構成されている。このため、各部分に不具合が生じた場合、それぞれを交換することにより、修理が可能となるので、容易に対応が可能となる。
【００５５】
（１．−８  保護カバー）
保護カバー２３は、特に図２、図６及び図７に示すように、光源１６と透光性カバー３の間に、光源基板１５を覆うようにして設けられている。この保護カバー２３は、図７に示すように、保護カバー２３の断面の屈折率の相違により保護カバー２３を透過した光源１６からの出射光の分布に不均一が生じて、光源からの出射光が透光性カバー３を透過する際に低照度部分が発生しないように形成されている。
【００５６】
即ち、保護カバー２３は、この保護カバー２３を透過した光源１６からの出射光に低照度部分が生じて透光性カバー３に低照度による稜線状の影が生じないように形成されている。このため、充分な光取り出し効率を確保することができると同時に、点灯時に均一な照射が確保され良好な外観を確保することができる。具体的には、本発明における保護カバー２３は、光源１６からの出射光が透過する部分が、均一の屈折率を有している。
【００５７】
この場合、保護カバー２３を、図７に示すように、光源１６からの出射光が透過する部分が、保護カバー２３の断面曲線を１回微分した値の微分曲線が連続する微分曲面から形成することにより、対応することができる。これにより、保護カバー２３の表面が図６及び図７に示すように、滑らかな曲面となって、保護カバー２３に屈折率の不均一が生じるのを防止することができ、保護カバー２３を透過した光源１６からの出射光の分布が均一となり、光源１６からの出射光が透光性カバー３を透過する際に低照度部分を発生させることがない。なお、断面曲線を１回微分した値の微分曲線が不連続である（階段状に変化する）と、その不連続点に沿って透過した光が、透光性カバー３に稜線状の影を生じさせるため、連続する曲面とすることが必要である。
【００５８】
このような保護カバー２３として、たとえば、推動シェル等の形状が考えられる。また、微分曲面となる形状（微分曲線）が、２回微分した値が連続であれば、より均一化に適した良い形状となる。なお、保護カバー２３は、厚みが一定で透明となっている。
【００５９】
この場合、少なくとも光源１６からの１／２ビーム角（光の広がり具合（配光）を示し、光源の直下照度（最大光度）の１／２の照度になる点と光源中心を結んだ線と、光源中心の鉛直方向線とのなす角度をいう）２４の出射光は、保護カバー２３の上記微分曲面を透過して、透光性カバー３の拡散面に到達する。これにより、光取り出し効率を低下させることなく、透光性カバー３に影状の暗い部分が生じることがなく、点灯時に均一な照射が確保され良好な外観（見栄え、意匠性）を確保することができる。
【００６０】
なお、ランプ本体１の周縁部（ベース部材１０の周縁部１０ａ）側に配置された外側の光源１６からの出射光は、透光性カバー３側に照射されることなく、ベース部材１０の周縁部１０ａの凸部に向けて照射されるため、透光性カバー３に影状の低照度部分を生じさせることはない。一方、逆に、ランプ本体１の中心部側に配置された光源１６からの出射光は、他の光源１６からの出射光と重なり、透光性カバー３には影状の低照度部分を生じさせることはない。従って、上記の通り、光源１６からの１／２ビーム角２４の出射光が、保護カバー２３の上記微分曲面を透過すればよく、保護カバー２３には、この微分曲面部分を除いて、光拡散面を形成することにより、図５に示すように、複数の保護カバー２３を接続して環状にして保護カバー２３を構成する場合においても、透光性カバー３に影状の低照度部分が生じるのを防止することができる。
【００６１】
（１．−９  常夜灯）
なお、図５に示すように、光源基板１５の適宜の位置に常夜灯２２を配設することにより、透光性カバー３に影が出にくく全体をやさしく照らす常夜灯とすることが可能となる。また、常夜灯２２は、基板固定台１４の光源基板１５が固定されていない適宜の位置に配設することもできる。
【００６２】
（２．透光性カバー）
一方、透光性カバー３は、図１に示すように、ポリカーボネート等の熱可塑性プラスチックを使用して、円形のドーム形状に成型されている。この透光性カバー３は、特に図２及び図６に示すように、ランプ本体１を密閉するようにランプ本体１に取り付けられている。具体的には、特に図２及び図６に示すように透光性カバー３の周縁部と、ベース部材１０の周縁部１０ａは、端部同士に隙間が出ないように回動等により固定されて、ランプ本体１の内部が外部より目視出来ないようにして、照明装置１００を形成する。
【００６３】
これにより、ベース部材１０と透光性カバー３の間が密閉され、保護カバー２３により照明装置１００の設置時における光源１６の保護ができるとともに、光源１６に虫等が侵入するのを防ぐ効果も併せて生じさせることができる。この透光性カバー３は、図１乃至図３及び図６に示すように、透光性カバー３も、光源１６からの出射光が透過する部分が、透光性カバー３の断面曲線を１回微分した値の微分曲線が連続する微分曲面とすることや、透光性カバー３に高密度となる光拡散面を形成するシボ加工を施したり、材料に拡散剤を含有させたりして、光拡散面にすることにより、さらに均一に照射することができる。
【００６４】
（３．その他）
上記のように、本実施形態では、光源基板１５がベース部材１０の周縁部１０ａから中心部に向かって前面側に傾斜して配置されている。これらによって照明装置１００は、省スペース化でき、良好な意匠性を示すことができる。なお、本実施形態ではベース部材１０の形状を円盤形にしたが、必ずしもこれに限定されるものではなく、断面が４角形等からなる扁平な多角柱であってもよい。
【００６５】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００６６】
本発明は、リビングや和室、更に、寝室や子供部屋等の各居室や廊下、玄関等の天井面や壁面等に沿って設置される照明装置として、広く適用することができる。
【符号の説明】
【００６７】
１：ランプ本体
１０：ベース部材
１０ａ：ベース部材の周縁部
１１：取付部
１２：取付延出部
１３：点灯基板
１４：基板固定台
１５：光源基板
１６：光源（ＬＥＤ素子）
１７：接続線
１８：切り欠き
１９：コンデンサ
２０：ケーブル固定部材
２１：接続端子
２２：常夜灯
２３：保護カバー
２４：１／２ビーム角
３：透光性カバー
４： 天井面
５： 引掛シーリングボディ
６： ロゼット
１００：照明装置
【要約】
【課題】  光取り出し効率を低下させることなく広く均一な照射を確保して、影状の暗い部分が生じるのを防止して良好な外観を確保することができる。
【解決手段】  照明装置は、光源１６と、この光源１６を覆う保護カバー２３と、これらの光源１６及び保護カバー２３を覆う拡散面を有する透光性カバー３とを有する。保護カバー２３は、保護カバー２３の断面の屈折率の相違により保護カバー２３を透過した光源からの出射光の分布に不均一が生じて、光源１６からの出射光が透光性カバー３を透過する際に低照度部分が発生しないように形成されている。
【選択図】図７【図１】
0005613292.tif 000002
【図２】
0005613292.tif 000003
【図３】
0005613292.tif 000004
【図４】
0005613292.tif 000005
【図５】
0005613292.tif 000006
【図６】
0005613292.tif 000007
【図７】
0005613292.tif 000008